(57)【要約】【課題】マイナスイオンイオン発生器である空気清浄機の幅方向寸法を縮めた場合に、不安定にならずに支持できる、支持構造が得られる。【解決手段】室内機本体内に、吸込み口、エアフィルタ、熱交換器、室内送風機と、吹出し口を順次連通する送風路が形成され、前記エアフィルタを支持する支持枠組立と、前記熱交換器の側部に隣接される電気部品箱を備えた空気調和機の室内機において、前記電気部品箱の側部で、前記熱交換器の送風路上流側に設けられる電気部品箱側面カバーと、この電気部品箱側面カバーに一端部を掛合して仮保持され、そのあと、反掛合方向にスライドさせて他端部を前記支持枠組立に掛合することで、両端部が固定される空気清浄機とを具備する。【選択図】    図２
2013068332.tif 000002
【特許請求の範囲】
【請求項１】
室内機本体内に、吸込み口、エアフィルタ、熱交換器、室内送風機と、吹出し口を順次連通する送風路が形成され、前記エアフィルタを支持する支持枠組立と、前記熱交換器の側部に隣接される電気部品箱を備えた空気調和機の室内機において、
前記電気部品箱の側部で、前記熱交換器の送風路上流側に設けられる電気部品箱側面カバーと、
この電気部品箱側面カバーの前記電気部品箱側と反対側の側部に突設された支持用片部と、この支持用片部の前面に左右に所定の間隙を存して設けられた仮保持用係止部および固定部と、
前記電気部品箱側面カバー側の側部より突設され、前記支持用片部にスライドして嵌り込むように構成する係合用片部と、この係合用片部に形成し、前記支持用片部にスライドすることにより前記支持用片部に形成する前記仮保持用係止部および前記固定部と対向した位置に係合される係合固定部と、前記電気部品箱側面カバー側とは反対側の側部より突設され前記支持枠組立に形成した受け腕部にスライドして掛合する掛止用突起部と、を備えた空気清浄機と、を具備し、
前記空気清浄機を、前記電気部品箱側面カバーに一端部を嵌め合わせて前記係合固定部と前記仮保持用係止部との係合により仮保持し、そのあと、反掛合方向にスライドさせて他端部を前記支持枠組立に掛止することで、両端部を固定した
ことを特徴とする空気調和機の室内機。
【請求項２】
前記空気清浄機の電源部と前記電気部品箱内の電気部品に電気的に接続するリード線を、前記電気部品箱側面カバーの上端背面側を介して前記電気部品箱内まで延出し、前記リード線の表面を、前記空気清浄機をスライドさせても前記リード線が露出することのないよう構成する配線カバーで保護する
ことを特徴とする請求項１記載の空気調和機の室内機。
【請求項３】
前記空気清浄機の前記係合用片部に形成する前記係合固定部が、前記電気部品箱側面カバーの前記支持用片部の前記固定部と対向した位置に係合された状態で止め具を介して取付け固定した
ことを特徴とする請求項１記載の空気調和機の室内機。
【発明の詳細な説明】
【技術分野】
【０００１】
本発明の実施態様は、空気清浄機を備えた空気調和機の室内機に関する。
【背景技術】
【０００２】
近時、空気清浄機を備えた空気調和機の室内機が多用される。これは、空気中に含まれる塵埃をマイナスに荷電するマイナスイオン発生器を備え、熱交換器にアース電位を掛けて、熱交換器においてマイナスに荷電した塵埃を捕捉し収集するようにした。単に、空気調和作用をなすばかりでなく、吹出し空気を清浄化することで、汎用性が拡大する。
【０００３】
熱交換器で捕捉されない荷電粒子は、熱交換器を通過した直後に室内送風機の横流ファンに衝突し、よって荷電粒子は消滅する。荷電粒子が吹出し口から放出されることはなく、壁汚れ等の防止を図れる。また、熱交換器に付着した塵埃は、熱交換器に対する防汚処理によって自然的に除去され、結露水とともに屋外へ放出されて手間がかからない。
【先行技術文献】
【特許文献】
【０００４】
【特許文献１】特開２０１０−１７５２０１号公報
【発明の概要】
【発明が解決しようとする課題】
【０００５】
室内機本体のほとんど幅方向に亘って吸込み口が設けられ、この吸込み口と対向する幅方向全般に亘って熱交換器が設けられる。マイナスイオン発生器は、熱交換器に吸込まれる空気全部にマイナスイオンを掛けるため、当初は熱交換器の幅方向全般に亘って設けられていた。
【０００６】
しかるに、近時は、必ずしもマイナスイオン発生器である空気清浄機を室内機本体の幅方向全般に亘って設ける必要がないことが判明した。すなわち、熱交換器の一側部に対向して配置するだけで、熱交換器に吸込まれる空気に含まる塵埃にマイナスイオンを掛けられる。
【０００７】
そこで、マイナスイオンイオン発生器である空気清浄機の幅方向寸法を縮めた場合に、不安定にならずに支持できる、支持構造の対応が望まれる。
【課題を解決するための手段】
【０００８】
本実施形態では、室内機本体内に、吸込み口、エアフィルタ、熱交換器、室内送風機と、吹出し口を順次連通する送風路が形成され、前記エアフィルタを支持する支持枠組立と、前記熱交換器の側部に隣接される電気部品箱を備えた空気調和機の室内機において、前記電気部品箱の側部で、前記熱交換器の送風路上流側に設けられる電気部品箱側面カバーと、この電気部品箱側面カバーの前記電気部品箱側と反対側の側部に突設された支持用片部と、この支持用片部の前面に左右に所定の間隙を存して設けられた仮保持用係止部および固定部と、前記電気部品箱側面カバー側の側部より突設され前記支持用片部にスライドして嵌り込むように構成する係合用片部と、この係合用片部に形成し、前記支持用片部にスライドすることにより前記支持用片部に形成する前記仮保持用係止部および前記固定部と対向した位置に係合される係合固定部と、前記電気部品箱側面カバー側とは反対側の側部より突設され前記支持枠組立に形成した受け腕部にスライドして掛止する掛止用突起部と、を備えた空気清浄機とを具備し、前記空気清浄機を、前記電気部品箱側面カバーに一端部を嵌め合わせて前記係合固定部と前記仮保持用係止部との係合により仮保持し、そのあと、反掛合方向にスライドさせて他端部を前記支持枠組立に掛止することで、両端部を固定した。
【図面の簡単な説明】
【０００９】
【図１】本実施形態に係る、空気調和機の室内機の縦断面図。
【図２】同実施形態に係る、前パネルを取外した状態の空気調和機本体の正面図。
【図３】同実施形態に係る、電気部品箱側面カバーの一部正面図。
【図４】同実施形態に係る、電気部品箱側面カバーに空気清浄機を仮固定し、空気清浄機と電気部品箱とを配線して配線カバーを取付けた図。
【図５】同実施形態に係る、エアフィルタ支持枠を取付けた状態の正面一部の斜視図。
【図６】同実施形態に係る、空気清浄機をスライドさせ、エアフィルタ支持枠の取付け部に取付けた状態の正面一部の斜視図。
【図７】同実施形態に係る、空気清浄機をスライドさせる前の、空気清浄機と配線カバーとの位置関係図。
【図８】同実施形態に係る、空気清浄機をスライドさせた後の、空気清浄機と配線カバーとの位置関係図。
【発明を実施するための形態】
【００１０】
以下、本実施形態を図面にもとづいて説明する。  
図１は空気調和機の室内機の縦断面図であり、図２は室内機から前パネルを取外した状態の正面図であり、図１は図２のＡ−Ａ線に沿う縦断面図である。  
図示しない室外機とともに空気調和機を構成する壁掛け式の室内機Ｋは、一般に居室の壁の高所に取付けられる。室内機本体１は、前面、上面、下面および左右両側面の外郭筐体を構成する前パネル２と、この前パネル２内部および背面部の筐体を構成する後本体３とからなる。
【００１１】
前記前パネル２の前面と図示しない左右両側部は、パネルで遮蔽されている。さらに、前パネル２の上面部に吸込み口４が開口され、常時、開放状態にある。前記前パネル２の下面前部には吹出し口用の開口部が形成されている。
【００１２】
前記後本体３の前面には、支持枠組立６が形成されている。前記支持枠組立６は、上面部が枠状に形成され、前記前パネル２の吸込み口４と一致する形状面積である。前記支持枠組立６は、下面前部には、前記前パネル２の吹出し口用の開口部と同一面積の開口部が設けられる。この支持枠組立６は、前記前面パネル２と一体に形成されているか、または別個に独立して形成される。
【００１３】
前記支持枠組立６の前面中央に、縦桟７が設けられている。この縦桟７の左右両側は開口されていて、左右２枚のエアフィルタＦを着脱自在に支持している。（なお、図２はエアフィルタＦも図示しない）  
前記エアフィルタＦは網目状のものであり、この下端部は支持枠組立６の下端部に沿って設けられる受け部に支持される。前記エアフィルタＦの上端部は、前記支持枠組立６の上端部に沿って設けられる差込み部に差し込まれていて、このようにして前記エアフィルタＦは前記支持枠組立６に支持される。
【００１４】
なお、前記支持枠組立６は、後述する空気清浄機Ｓの一側部を支持し、前記空気清浄機Ｓの他側部は後述する電気部品箱側面カバー８に支持されるので、一方のフィルタＦは空気清浄機Ｓと電気部品箱側面カバー８の前面を覆う。  
さらに、前記後本体３には、熱交換器９および室内送風機１０が支持され、吹出し口５が設けられる。室内送風機１０が駆動されることで、室内機本体１内には、吸込み口４、エアフィルタＦ、熱交換器９、室内送風機１０、吹出し口５を順次連通する送風路１２が形成される。
【００１５】
前記熱交換器９は、前側熱交換器部９Ａと後側熱交換器部９Ｂとで略逆Ｖ字状に形成される。前記前側熱交換器部９Ａは湾曲状に形成され、前記後側熱交換器部９Ｂは直状で斜めに傾斜している。前記熱交換器９は、図示しない室外機に収容される圧縮機および室外熱交換器などと冷媒管を介して連通され、これらで冷凍サイクルが構成される。
【００１６】
前記熱交換器９の前後側熱交換器部９Ａ，９Ｂ相互間に、室内送風機１０が配置される。前記室内送風機１０は、室内機本体１の一側端のスペースに配置されたファンモータと、このファンモータの回転軸に連結される横流ファンとからなる。横流ファンの軸方向長さは熱交換器９の幅方向長さと同一に設定され、互いに正しく対向するよう配置される。
【００１７】
前記前側熱交換器部９Ａの下端部は、前ドレンパン１３ａ上に載り、前記後側熱交換器部９Ｂの下端部は後ドレンパン１３ｂ上に載る。前、後ドレンパン１３ａ，１３ｂは、それぞれ前記後本体３に一体に成形され、前後側熱交換器部９Ａ，９Ｂから滴下するドレン水を受けて、図示しないドレンホースを介して屋外へ排水できる。
【００１８】
前記吹出し口５には、上下風向調節板１４ａが設けられ、この奥方に位置する送風路１２に、左右風向調節板１４ｂが設けられる。前記上下風向調節板１４ａは、回動姿勢によって吹出し口５を開閉し、かつ運転条件に応じて熱交換空気の吹出し方向を設定することができる。前記左右風向調節板１４ｂは、いわゆる首振り運動をなす。
【００１９】
前記支持枠組立６は、前記前側熱交換器部９Ａの前面と間隙を存して曲成され、前記エアフィルタＦも前記前側熱交換器部９Ａの前面に沿って曲成した状態で支持される。さらに、前記支持枠組立６は、前記後側熱交換器部９Ｂの上面に間隙を存して対向するよう曲成され、前記エアフィルタＦも前記後側熱交換器部９Ｂの上面に間隙を存して対向するよう曲成した状態で支持される。
【００２０】
前記熱交換器９の一側部（右側部）に隣接した位置に、電気部品箱１５が並んで配置される。この電気部品箱１５の前面一部と電気部品箱側面カバー８を前記支持枠組立６が覆うパネル面となっていて、このパネル面は前記支持枠組立６の一側部まで設けられる。前記電気部品箱１５の注意書き部分１５ａのみパネル面は欠落加工され、注意書きが読めるようになっている。
【００２１】
前記電気部品箱１５は、前記熱交換器９の熱交換作用を制御し、冷凍サイクル運転の切換えをなす。さらに、前記電気部品箱１５は前記室内送風機１０の駆動を制御する制御用電気部品を収容するとともに、前記空気清浄機Ｓを電気的に制御する部品および、その他の電気部品を収容する。
【００２２】
通常、空気調和機の室内機には、前記熱交換器を２分し、冷凍サイクルの途中に除湿弁を介在させることで再熱作用による除湿運転を行う機種と、除湿弁を設けず弱冷房運転により除湿運転を行う機種とが存在する。これらの機種は、共用化を図るため、同一の筐体構造を備えた室内機本体で構成される。  
前記除湿弁は、前記熱交換器９に形成される冷媒流路を二分する位置に設けられる。冷房運転時と暖房運転時は全開となって何らの作用もなさないが、除湿運転時は冷媒流路を絞る膨張弁となって、熱交換器９を熱交換部と再熱器部とに区分する。
【００２３】
上記電気部品箱側面カバー８は、たとえば合成樹脂部品からなり、電気絶縁性を有するとともに、前面に通気孔を備えている。本来は、除湿弁が前記電気部品箱１５の側部で熱交換器９の前面側あるいは側面側に取付けられる。そして、この除湿弁の配置された前面部を前記電気部品箱側面カバー８で覆う。
【００２４】
前記電気部品箱側面カバー８は、除湿弁表面に生じたドレン水が室内機前面側から室内に滴下することなく、下部に配置された前ドレンパン１３ａに流下するように作用させるとともに、室内機の前面側から電気部品箱１５の側面側に手などが触れないよう保護するためのものである。
【００２５】
ここでは、除湿弁を備えていない場合の実施例が示されており、前記電気部品箱側面カバー８は、前記前パネル２を開放した状態で前記電気部品箱１５の左側の側面部をカバーするよう、前記電気部品箱側面カバー８の一端側が、前記電気部品箱１５の熱交換器９側端部に近接するよう配置され、表面が前記電気部品箱１５の前面と位置を揃えるよう支持枠組立６に支持される。  
電気部品箱１５の前面は支持枠組立６のパネル面で保護され、かつ電気部品箱１５の右側の側面部は前記前パネル２の右側の側面部で保護される。
【００２６】
このような電気部品箱側面カバー８の前記電気部品箱１５側と反対側の側部に、空気清浄機Ｓの一側部が支持される。前記空気清浄機Ｓの他側部は、前記支持枠組立６に一体に設けられる受け腕部１７に支持される。前記空気清浄機Ｓに対する支持構造については後述する。
【００２７】
前記空気清浄機Ｓは、マイナスイオンを発生するマイナスイオン発生器であり、以後、空気清浄機をマイナスイオン発生器Ｓと呼ぶ。これに対して前記熱交換器９は、マイナスイオン発生器Ｓの対向電極として、アース電位が印加されるようになっている。
【００２８】
すなわち、前記熱交換器９は導電性を有していて、熱交換器９を構成する前側熱交換器部９Ａと後側熱交換器部９Ｂのフィンは、導電性を有するアルミニュウム材が選択される。そして、前後側熱交換器部９Ａ、９Ｂはマイナスイオン発生器Ｓの対向電極と同電位が印加されるよう、アース電位に接続されている。
【００２９】
前記マイナスイオン発生器Ｓは、前記熱交換器９を構成する前記前側熱交換器部９Ａの前方に間隙を存して配置されていて、前記送風路１２において熱交換器９の送風路１２上流側に位置する。これに対して前記エアフィルタＦは、前記マイナスイオン発生器Ｓの送風路１２上流側に位置し、前記熱交換器９はマイナスイオン発生器Ｓの送風路１２下流側に配置されることとなる。
【００３０】
上記のように構成される空気調和機の室内機であり、作用について説明する。  
冷房運転もしくは暖房運転等の空調運転開始の信号がリモコンから制御部に入ると、冷凍サイクル運転が開始されるとともに、室内送風機１０に駆動信号が送られる。さらに、上下風向調節板１４ａが空調運転に適応した姿勢で回動し、吹出し口５が開放される。
【００３１】
室内空気は吸込み口４から室内機本体１内に吸込まれ、送風路１２に沿って導かれる。はじめにエアフィルタＦを流通し、室内空気に含まれる塵埃は捕捉される。一部の塵埃はそのままエアフィルタを通過するが、ここでマイナスイオン発生器Ｓにより、マイナスイオンが荷電される。
【００３２】
そして、前記熱交換器９を構成する前側熱交換器部９Ａと後側熱交換器部９Ｂに導かれる。前後側熱交換器部９Ａ，９Ｂにはアース電位が掛けられ、マイナスイオンに荷電された塵埃が吸着される。清浄化した室内空気は熱交換器９と熱交換をなし、冷房運転モードが選択されていれば室内空気は冷気となり、暖房運転モードが選択されていれば暖気に変る。
【００３３】
熱交換空気は吹出し側の送風路１２に沿って導かれ、吹出し口５から左右風向調節板１４ｂと、上下風向調節板１４ａに案内されて室内へ吹出される。冷気が室内に吹出されることにより室内温度が低下し、冷房作用をなす。暖気が室内に吹出されることにより室内温度が上昇し、暖房作用をなす。
【００３４】
いずれにしても、室内機本体１内に吸込まれた室内空気は、エアフィルタＦとマイナスイオン発生器Ｓと熱交換器９を流通する際に、室内空気に含まれる全ての塵埃が捕捉され、常に清浄化した熱交換空気が室内に吹出されて、室内の清浄化をなす。
【００３５】
つぎに、マイナスイオン発生器Ｓの支持構造について説明する。  
図３は、電気部品箱側面カバー８の一部を拡大して示す図である。図４は、電気部品箱側面カバー８に前記マイナスイオン発生器Ｓの一側部を取付けて仮保持した状態を示す図である。
【００３６】
図３に示すように、この電気部品箱側面カバー８における電気部品箱１５とは反対側の側部に、支持用片部２０が一体に設けられる。前記支持用片部２０は、電気部品箱側面カバー８の上下方向の略中央部に突設される、縦横略同一寸法の小突片である。前後の厚み寸法はある程度確保し、前面に固定部であるねじ孔２１と仮固定用係止部である突起部２２が、左右に所定の間隙を存して設けられる。
【００３７】
図４に示すように、前記電気部品箱側面カバー８の支持用片部２０にマイナスイオン発生器Ｓの一側部が支持される。  
すなわち、マイナスイオン発生器Ｓは、電極部Ｓａと、この電極部Ｓａと連結し電気的に接続される電源部Ｓｂとから構成されていて、前記電気部品箱側面カバー８と反対側の電極部Ｓａの側部には掛止用突起部２３が側方に突設され、前記電気部品箱側面カバー８側の電源部Ｓｂの側部には係合用片部２４が側方に突設される。
【００３８】
上記電極部Ｓａは、マイナスイオン発生電極と針金状のアース電極である対向電極を備えていて、これらマイナスイオン発生電極と対向電極は電極ケース（いずれも図示しない）に取付けられ、これを押えカバー２５が覆い保護する。
【００３９】
上記マイナスイオン発生電極は、長手方向に沿い所定間隔を存して、複数本の針電極が長手方向とは直交する方向に突設される。対向電極は、たとえば針金状のものが用いられていて、マイナスイオン発生電極と同じ全長であり、両側端部のみが上記電極ケースに取付け支持される。
【００４０】
電極ケースは強度を保持し、マイナスイオン発生電極からマイナスイオンを効率良く放出できる形状をなす。押えカバー２５は対向電極を電極ケースに押え付け、対向電極の弛みなどの変形を規制する。特に、マイナスイオン発生電極に高電圧がかかるので、電極ケースと押えカバー２５は難燃性樹脂であるＡＢＳ樹脂で構成する。
【００４１】
マイナスイオン発生電極と対向電極が電極ケースに取付けられてなる電極部Ｓａの端部が、前記電源部Ｓｂの側面に突設される接続部に挿入し嵌合することで、電極部Ｓａと電源部ｂが電気的に接続され、前記マイナスイオン発生器Ｓが一体的に組立てられる。
【００４２】
前記電極部Ｓａの、前記電源部Ｓｂとは反対側の側部には、前記掛止用突起部２３が突設されていて、これは支持枠組立６の後述する受け腕部１７に掛止する。前記電源部Ｓｂの、前記電極部Ｓａ側とは反対側の側部に、前記係合用片部２４が突設される。
【００４３】
この係合用片部２４は、上記電気部品箱側面カバー８の側部に一体に設けられる前記支持用片部２０の前面にスライドして嵌り込むような形状をなす。ただし、この軸方向長さは支持用片部２０の軸方向長さの略半分程度であり、電源部Ｓｂ内に前記支持用片部２０が入り込むスペースを確保している。
【００４４】
さらに、前記係合用片部２４には係合固定部である孔部２６が設けられていて、マイナスイオン発生器Ｓを仮保持する場合は、孔部２６に前記支持用片部２０に設けられる前記突起部２２に嵌め込まれ係合される。すなわち、支持枠組立６を取付ける前に、電気部品箱１５と電気部品箱側面カバー８を所定位置に取付けた後、電気部品箱側面カバー８の前記支持用片部２０にマイナスイオン発生器Ｓの前記係合用片部２４を嵌め込む。
【００４５】
詳しくは、マイナスイオン発生器Ｓの電源部Ｓｂに突出する係合用片部２４を電気部品箱側面カバー８の支持用片部２０に嵌め込み、一旦、係合用片部２４の前記孔部２６を支持用片部２０の前記突起部２２に嵌め込み係止させる。このことにより、配線作業の際にマイナスイオン発生器Ｓの位置が簡単には変らず、確実に仮保持できる。
【００４６】
この状態にして、電源部Ｓｂから図示しないリード線を繰り出し、電気部品箱側面カバー８の上端背面側を介して電気部品箱１５内まで延出し、箱内の所定の電気部品に電気的に接続する。このとき、電気部品箱１５とマイナスイオン発生器Ｓの電源部Ｓｂとを電気的に接続するリード線は充分な余裕を保持するよう、弛みを持たせておく。
【００４７】
そして、リード線表面を保護する配線カバー２７を、電気部品箱１５とマイナスイオン発生器Ｓとの間に取付ける。前記配線カバー２７は、電気部品箱側面カバー８と熱交換器９との隙間に取付けられることとなる。  
前記マイナスイオン発生器Ｓを前記電気部品箱側面カバー８に仮保持したあと、前記支持枠組立６を所定の位置に取付ける。
【００４８】
図５は、電気部品箱側面カバー８にマイナスイオン発生器Ｓを仮保持した後、後本体３に支持枠組立６を取付けた状態の、室内機本体１の一部外観図である。  
前記支持枠組立６には、前記受け腕部１７が形成される。前記受け腕部１７は仮保持されたマイナスイオン発生器Ｓの一側部に突出する前記掛止用突起部２３に対向する孔部を有する。この状態で、図に矢印で示すようにマイナスイオン発生器Ｓを図中左側へスライド付勢する。
【００４９】
図６は、マイナスイオン発生器Ｓをスライド付勢した後の状態を示す、室内機本体１の一部外観図である。  
前記マイナスイオン発生器Ｓの一側部に突出する前記掛止用突起部２３は、前記支持枠組立６の受け腕部１７に設けられる孔部に挿入し、支持される。前記マイナスイオン発生器Ｓの前記係合用片部２４は電気部品箱側面カバー８の前記支持用片部２０をスライドして、ここに設けられる前記孔部２６が支持用片部２０に設けられる突起部２２から出て前記ねじ孔２１に対向する。
【００５０】
このことから、前記孔部２６を介して前記ねじ孔２１に止め具である小ねじ２８を螺挿して、前記マイナスイオン発生器Ｓの係合用片部２４を前記電気部品箱側面カバー８の支持用片部２０に固定する。マイナスイオン発生器Ｓは左右両側部を支持されることになり、移動しない。
【００５１】
すなわち、前記支持枠組立６に前記エアフィルタＦを取付け、さらに後本体３に前記前パネル２を取付けても、マイナスイオン発生器Ｓの位置がずれることはなく、安全に作用する。小ねじ２８を止めるだけの簡単な操作でマイナスイオン発生器Ｓを支持できて、作業性が向上する。  
前記マイナスイオン発生器Ｓの熱交換器９に対する位置を常に一定に保持でき、空気清浄機能を確保する。サービス後も同様であり、サービス前後で空気清浄能力を一定に保つことができる。
【００５２】
図７は、マイナスイオン発生器Ｓを電気部品箱側面カバー８に仮保持したときの、配線カバー２７とマイナスイオン発生器Ｓとの関係を示す図である。図８は、マイナスイオン発生器Ｓを正規位置に保持した時の、配線カバー２７とマイナスイオン発生器Ｓとの関係を示す図である。
【００５３】
前記マイナスイオン発生器Ｓの係合用片部２４を、前記電気部品箱側面カバー８の支持用片部２０に仮保持した状態で、マイナスイオン発生器Ｓ上端部から電気部品箱側面カバー８の上端部背面と熱交換器９との隙間を介して電気部品箱１５にリード線を繋ぎ、電気配線する必要がある。そして、リード線は配線カバー２７で保護する。
【００５４】
前記マイナスイオン発生器Ｓと前記配線カバー２７は、それぞれ単体で二重絶縁構造を備えている。マイナスイオン発生器Ｓを図８に示すようにスライドさせたあとでも、二重絶縁構造を維持するため、スライド前は図７に示すように、前記マイナスイオン発生器Ｓと前記配線カバー２７の互いの重なり部Ｗを互いに大きくし（寸法ｄ）、マイナスイオン発生器Ｓの上から配線カバー２７で覆う構造とする。
【００５５】
そして、前記マイナスイオン発生器Ｓを正規位置に保持するため、図８に示すようにスライドさせても、前記マイナスイオン発生器Ｓと前記配線カバー２７の互いの重なり部Ｗ（寸法ｍ）がわずかでも残り、リード線が露出することはない。  
前記リード線は、前記マイナスイオン発生器Ｓと前記配線カバー２７との中に余裕を持って収納している。マイナスイオン発生器Ｓをスライドさせてもリード線が突っ張るようなことはなく、常に安全性を確保する。
【００５６】
前記マイナスイオン発生器Ｓをスライドさせることにより、マイナスイオン発生器Ｓの係合用片部２４に設けられる孔部２６と、電気部品箱側面カバー８の支持用片部２０に設けられるねじ孔２１の位置が一致し、ここに止め具である小ねじ２８を螺挿する。したがって、簡単な構成でありながら、マイナスイオン発生器Ｓを確実に保持する。
【００５７】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態およびその変形は、発明の範囲および要旨に含まれるとともに、特許請求の範囲に記載された発明とその均等の範囲に含まれる。
【符号の説明】
【００５８】
１…室内機本体、４…吸込み口、Ｆ…エアフィルタ、９…熱交換器、１０…室内送風機、５…吹出し口、１２…送風路、６…支持枠組立、１７…受け腕部、１５…電気部品箱、８…電気部品箱側面カバー、２０…支持用片部、２１…ねじ孔（固定部）、２２…突起部（仮固定用係止部）、Ｓ…空気清浄機（マイナスイオン発生器）、２３…掛止用突起部、２４…係合用片部、２６…孔部（係合固定部）、２７…配線カバー、２８…止め具。
【図１】
2013068332.tif 000003
【図２】
2013068332.tif 000004
【図３】
2013068332.tif 000005
【図４】
2013068332.tif 000006
【図５】
2013068332.tif 000007
【図６】
2013068332.tif 000008
【図７】
2013068332.tif 000009
【図８】
2013068332.tif 000010